(57)【要約】【課題】簡単な構成でかつ簡単な操作で原稿の取り扱いに関する作業効率を向上させる画像記録装置を提供する。【解決手段】この発明の画像記録装置１００は、操作パネル１１０、原稿台１３０、原稿カバー１２０等から成り、操作パネル１１０の格納位置から露出位置への回動を原稿カバー１２０の開動作として伝達する伝達機構を備えている。  操作パネル１１０は、平板状を呈し、一端部が画像記録装置１００の前面に回動自在に軸支されており、画像記録装置１００の前面に密着した状態の格納位置と画像記録装置１００の前面から離間した状態の露出位置との間に回動自在に軸支されている。原稿台１３０は、原稿が載置される平面ガラス板で構成されている。原稿カバー１２０は、一端部が画像記録装置１００の上面に回動自在に軸支されており、原稿台１３０の上面を開閉する。【選択図】図１
2008263268.tif 000002
【特許請求の範囲】
【請求項１】
平板状を呈し、一端部が主装置の前面に回動自在に軸支されており、前記主装置の前面に密着した状態の格納位置と前記主装置の前面から離間した状態の露出位置との間に回動自在に軸支された操作パネルと、
原稿が載置される平面ガラス板で構成された原稿台と、
一端部が前記主装置の上面に回動自在に軸支されており、前記原稿台の上面を開閉する原稿カバーと、を備えた画像記録装置であって、
前記操作パネルの前記格納位置から前記露出位置への回動を前記原稿カバーの開動作として伝達する伝達機構を備えた画像記録装置。
【請求項２】
前記原稿カバーを前記伝達機構によって持ち上げられた状態に保持する保持機構をさらに備えた請求項１に記載の画像記録装置。
【請求項３】
保持された前記原稿カバーの開放端の位置が下方へ変位された際に、前記保持機構による保持を解除する閉鎖機構を備えた請求項２に記載の画像記録装置。
【発明の詳細な説明】
【技術分野】
【０００１】
この発明は、ファクシミリ装置や複写機等の画像読取機能を備えた画像記録装置であって、平面ガラス板で構成された原稿台を備えた画像記録装置に関する。
【背景技術】
【０００２】
画像読取機能を備えた画像記録装置には、２種類のタイプがある。ひとつは原稿を画像読取部に移動させ、そのときに画像を読み取るタイプである。もうひとつは平面ガラス板で構成された原稿台に原稿を載置し、画像読取部を左右に走査させて画像を読み取るタイプである。前者は原稿台を有していない。その分、画像記録装置の小型化には向いている。しかし本などの厚手の原稿を読み取ることはできない。その際には後者のタイプが必要となる。また、画像記録装置の前面には操作パネルが備えられている。
【０００３】
従来の原稿台を備えた画像記録装置は、ユーザは上面から操作するため操作パネルは上面を向き、装置の前面側に突出している。操作パネルはキー操作の入力と、動作状態や処理内容の確認などに必要である。
【０００４】
例えば、操作パネルの設置角度を変更可能にする技術がある（例えば、特許文献１参照。）。画像記録装置を操作する際、ユーザの姿勢に応じて操作パネルの設定角度を変更することで操作パネルの視認性及び操作性が向上する。
【０００５】
この技術を用いて、画像記録装置の動作停止中、あるいは運搬時に操作パネルをたたみ、画像記録装置を小型化することができると考えられる。
【特許文献１】特開平１１−１１９４９８号公報
【発明の開示】
【発明が解決しようとする課題】
【０００６】
上記従来技術は、操作パネルの設置角度を変更することにより、操作パネルの視認性及び操作性を向上させる。しかし、原稿の取り扱いに関する作業効率を考慮していない。即ち、視認性及び操作性を向上させるための構成を用いて原稿の取り扱いを容易にできるようにしたものはなかった。
【０００７】
この発明の目的は、操作パネルの角度の変化に伴って原稿カバーを持ち上げることで、簡単な構成でかつ簡単な操作で原稿の取り扱いに関する作業効率を向上させる画像記録装置を提供することにある。
【課題を解決するための手段】
【０００８】
この発明の画像記録装置は、操作パネル、原稿台、原稿カバー等から成り、操作パネルの格納位置から露出位置への回動を原稿カバーの開動作として伝達する伝達機構を備えている。
【０００９】
操作パネルは、平板状を呈し、一端部が画像記録装置の前面に回動自在に軸支されており、画像記録装置の前面に密着した状態の格納位置と画像記録装置の前面から離間した状態の露出位置との間に回動自在に軸支されている。原稿台は、原稿が載置される平面ガラス板で構成されている。原稿カバーは、一端部が画像記録装置の上面に回動自在に軸支されており、原稿台の上面を開閉する。
【００１０】
原稿カバーを伝達機構によって持ち上げられた状態に保持する保持機構をさらに備えることで、原稿台に原稿を載置する際の作業効率が向上する。
【００１１】
保持された原稿カバーの開放端の位置が下方へ変位された際に、保持機構による保持を解除する閉鎖機構を備えることで、画像記録装置の動作停止中、あるいは運搬時に、画像記録装置を小型化することができる。
【発明の効果】
【００１２】
この発明によれば、以下の効果を奏することができる。
【００１３】
操作パネルの格納位置から露出位置への回動を原稿カバーの開動作として伝達することにより、原稿の取り扱いに関する作業効率が向上する。
【発明を実施するための最良の形態】
【００１４】
以下、この発明の最良の実施形態に係る画像記録装置を、図面を参照しつつ詳細に説明する。
【００１５】
図１は、画像記録装置の外観図である。画像記録装置１００は、操作パネル１１０、原稿台１３０、原稿カバー１２０及び給紙部１６０等から構成されている。
【００１６】
操作パネル１１０は、平板状を呈し、一端部が画像記録装置１００の前面に回動自在に軸支されており、画像記録装置１００の前面に密着した状態の格納位置と画像記録装置１００の前面から離間して略水平状態となる露出位置との間で回動する。ユーザは画像記録装置１００の上面から各種操作をするため、操作パネル１１０が格納位置にある場合は、視認性及び操作性が悪いが、これを露出位置に回動することにより、視認性及び操作性が向上する。
【００１７】
操作パネル１１０は、表示部１４０、キー１５０等を備えている。表示部１４０は、画像記録装置１００の動作状態や処理内容を表示する。操作パネル１１０は、キー１５０の入力を受け付け、画像記録装置１００の各種動作を制御する。
【００１８】
原稿台１３０は、平面ガラス板で構成されており、上面に原稿が載置される。
【００１９】
原稿カバー１２０は、一端部が画像記録装置１００の上面に回動自在に軸支されており、原稿台１３０の上面を開閉する。原稿カバー１２０は、画像記録装置１００の動作停止中、あるいは運搬時には原稿台１３０上面への塵の侵入を防ぎ、また原稿台１３０を物理的に保護する。画像形成時には原稿台１３０上面への外部からの光を遮光する。
【００２０】
給紙部１６０は、画像記録装置１００の前面に設けられており、画像記録される用紙をストックする。給紙部１６０は、操作パネル１１０の格納状態における背面に位置しており、画像記録装置１００の動作停止中、あるいは運搬時には操作パネル１１０によって覆われている。給紙部１６０は、一枚ずつ用紙を給紙する。給紙部１６０から給紙された用紙は、図示しない用紙搬送路を経由して図示しない画像記憶部に搬送される。
【００２１】
図２は、操作パネルの回動作動を原稿カバーの開動作へ伝達する伝達機構を、画像記録装置の右側面から見た図である。伝達機構２００は、ワンウェイクラッチギア２１０、ピニオンギア２２０、軸支部２３０及びガイド板２４０を備えている。
【００２２】
ワンウェイクラッチギア２１０は、操作パネル１１０の回動軸に連結固着されている。ワンウェイクラッチギア２１０は、操作パネル１１０の回動方向と同方向に回転し、操作パネル１１０の回動を他へ伝達する。一方、ワンウェイクラッチギア２１０は、時計回りの回転をした場合は他へ回転を伝達するが、反時計回りの回転をした場合は他へ回転を伝達しない。
【００２３】
ピニオンギア２２０は、ワンウェイクラッチギア２１０と軸支部２３０との間に回転自在に軸支されている。ピニオンギア２２０は、ワンウェイクラッチギア２１０の回転を軸支部２３０へ伝達する。
【００２４】
軸支部２３０は、一部にラックギア２３１を備える。ラックギア２３１には、ピニオンギア２２０が噛合している。ピニオンギア２２０の回転運動はラックギア２３１を介して軸支部２３０の鉛直上下運動として伝達される。軸支部２３０は、一例としてガイド板２４０により、長手方向が鉛直上下方向に平行となる状態を維持するように支持されている。軸支部２３０には、ピン２７０が突出している。
【００２５】
ガイド板２４０は、図示しないフレームに固定支持されている。ガイド板２４０の内部には溝２６０が設けられている。溝２６０は、互いに平行な二本の鉛直上下方向に伸びた通路が第一の傾斜路と第二の傾斜路とに介されたループ状を形成している。溝２６０は、ピン２７０の移動経路を案内している。溝２６０にはスプリング２５０、窪み２６１、弁２８０、ストッパー２９０及びスプリング２９１が備えられている。
【００２６】
弁２８０は、一端部が回動自在に軸支されている。弁２８０にはスプリング２５０が取り付けられている。スプリング２５０は、弁２８０を下向きに付勢している。弁２８０は、スプリング２５０の弾性力により、溝２６０の上端近傍を閉鎖した状態で停止している。弁２８０の下面から上方に向かってスプリング２５０の弾性力を上回る力が加えられると、弁２８０は一時的に開放される。開放された弁２８０は、スプリング２５０の弾性力により再び溝２６０の上端近傍を閉鎖した状態で停止する。
【００２７】
ストッパー２９０は、溝２６０内部に突出している。ストッパー２９０は、略矩形を呈する。ストッパー２９０は、窪み２６１に接する一つの頂点を中心に回動自在に軸支されている。ストッパー２９０には、スプリング２９１が取り付けられている。スプリング２９１は、ストッパー２９０を斜め上方に付勢している。スプリング２９１は、原稿カバー１２０と軸支部２３０との自重に耐える程度の弾性力を持つ。ストッパー２９０の上面から下方に向かってスプリング２９１の弾性力を上回る力が加えられると、ストッパー２９０は窪み２６１に退避する。退避したストッパー２９０は、スプリング２９１の弾性力により再び溝２６０内部に突出する。
【００２８】
操作パネル１１０を格納位置から露出位置へ回動すると、それに伴いワンウェイクラッチギア２１０は時計回りに回転する。この回転はピニオンギア２２０に伝達され、ピニオンギア２２０は反時計回りに回転する。
【００２９】
ピニオンギア２２０の回転は軸支部２３０に伝達され、軸支部２３０は鉛直上方に移動する。これに伴い、ピン２７０は溝２６０の鉛直上方へ移動する。ピン２７０は弁２８０の下面に当たる。弁２８０は、溝２６０の上端近傍を開放する。ピン２７０は溝２６０の上端に移動する。弁２８０は、溝２６０の上端近傍を閉鎖する。鉛直上方へ移動した軸支部２３０の上端は、原稿カバー１２０の下面と当接し、原稿カバー１２０の開放端を持ち上げ、原稿台１３０の上面を露出させる。
【００３０】
弁２８０は、スプリング２５０の弾性力により溝２６０の鉛直上下方向の通路を閉鎖する。弁２８０は、溝２６０の上端へ移動したピン２７０の鉛直下方への移動を防ぐ。溝２６０の上端へ移動したピン２７０は、弁２８０の上面まで降りてくる。ピン２７０は、弁２８０の上面を通過し、ストッパー２９０まで移動する。ストッパー２９０は、ピン２７０を支える。
【００３１】
図３は、原稿台の上面を開いた状態の原稿カバーが、保持機構により保持されている図である。軸支部２３０はピン２７０の移動に伴い下方に移動する。ピン２７０がストッパー２９０に支えられることにより、軸支部２３０の移動は停止する。軸支部２３０は、原稿カバー１２０の開放状態を保持する。
【００３２】
原稿カバー１２０が保持機構により保持されることにより、ユーザは原稿カバー１２０と原稿台１３０との間に手を挿入しやすくなる。よって原稿カバー１２０の開動作が容易になり、原稿台１３０上に原稿を載置する際の作業効率が向上する。
【００３３】
図４は、保持機構により保持されている原稿カバーを閉鎖した図である。原稿を読み取る際、原稿台１３０への外部からの光を遮光するため、原稿カバー１２０は閉鎖される。ユーザにより原稿カバー１２０が閉鎖方向に力を加えられると、スプリング２９１の弾性力はその力に負ける。ストッパー２９０は窪み２６１に退避し、ピン２７０は溝２６０の下端に戻る。ストッパー２９０は、再び溝２６０内部に突出する。軸支部２３０は下方へ移動する。原稿カバー１２０は、軸支部２３０の保持がなくなるため閉鎖される。
【００３４】
操作パネル１１０の軸支部には図示しないスプリングが備えられている。図示しないスプリングは操作パネル１１０の露出方向に力を加え、操作パネル１１０を略水平方向の露出位置に保持させる。図示しないスプリングの弾性力は、操作パネル１１０を格納位置から露出位置へ回動させる力を下回るため、操作パネル１１０は、自動的に回動しない。操作パネル１１０の保持機構は、原稿カバー１２０の保持機構とは異なるため、原稿カバー１２０が閉鎖しても、操作パネル１１０には影響はない。
【００３５】
操作パネル１１０を露出位置から格納位置へ回動すると、ワンウェイクラッチギア２１０は反時計回りに回転するが、ピニオンギア２２０にはこの回転は伝達されないため、軸支部２３０には影響を与えない。よって、原稿カバー１２０の開閉には影響はない。
【００３６】
保持された原稿カバー１２０の開放端の位置が下方へ変位された際に、保持機構による保持を解除する閉鎖機構を備えることで、図示しない画像記録装置の動作停止中、あるいは運搬時に、図示しない画像記録装置を小型化することができる。
【００３７】
なお、原稿カバー１２０の開閉は、伝達機構２００に限定されるものではない。たとえば、カム機構を用いてもよいし、手動で原稿カバー１２０を開くこともできる。
【図面の簡単な説明】
【００３８】
【図１】この発明の画像記録装置の構造を説明するための説明図である。
【図２】この発明の伝達機構を説明するための説明図である。
【図３】この発明の保持機構を説明するための説明図である。
【図４】操作パネルの保持機構を説明するための説明図である。
【符号の説明】
【００３９】
１００−画像記録装置
１１０−操作パネル
１２０−原稿カバー
１３０−原稿台
２００−伝達機構
【図１】
2008263268.tif 000003
【図２】
2008263268.tif 000004
【図３】
2008263268.tif 000005
【図４】
2008263268.tif 000006